【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
光ファイバであって、
高いアスペクト比で伸張する断面を有し、かつ、第１屈折率を有するコア；
前記コアと接触するように設けられて前記コアを挟んで第２屈折率を有する第１信号クラッド及び第２信号クラッド；並びに、
前記コアの少なくとも遅い軸の端部を実質的に取り囲んで第３屈折率を有し、前記コアの前記遅い軸の端部と接触する第３クラッド；
を有し、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有する、
光ファイバ。
【請求項２】
前記ファイバ内部において前記遅い軸方向に沿った高次の横電磁モードを実質的に除去するために低次の横電磁モードの損失よりも大きな高次の横電磁モードの損失を供するように、前記コアの第１屈折率と前記第３クラッドの第３屈折率との差は約５００ｐｐｍ未満である、
請求項１に記載の光ファイバ。
【請求項３】
前記遅い軸方向に沿った前記コアの幅が、前記ファイバへ入力されるレーザービームの幅よりも大きくなるように選ばれる、請求項１に記載の光ファイバ。
【請求項４】
前記コアの幅が、前記ファイバの出力端部での回折レーザービームの幅を超える、請求項１に記載の光ファイバ。
【請求項５】
光ファイバであって、
高いアスペクト比で伸張する断面を有し、かつ、屈折率を有するコア；
を有し、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有し、
前記ファイバへ入力されるレーザービームの幅ｗｂは、ｗｂ２ｎ／λに比例するフレネル長さＬＦｒがファイバ長さＬを超えるような値で、
ｎは前記コアの屈折率で、かつ、
λは前記ファイバへ入力される前記レーザービームの波長である、
光ファイバ。
【請求項６】
光ファイバであって、
高いアスペクト比で伸張する断面を有し、かつ、第１屈折率を有するコア；
前記コアと接触するように設けられて前記コアを挟んで第２屈折率を有する第１信号クラッド及び第２信号クラッド；並びに、
前記コアの少なくとも遅い軸の端部を実質的に取り囲んで第３屈折率を有する第３クラッド；
を有し、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有し、
前記第３クラッドの第３屈折率は、前記第３クラッドへ漏れるレーザー放射線が、前記第３クラッドへ漏出することを可能にするように、外側境界面での前記第３クラッドの開口数が０．０６未満となるように選ばれる、
光ファイバ。
【請求項７】
光ファイバであって、
高いアスペクト比で伸張する断面を有し、かつ、第１屈折率を有するコア；
前記コアと接触するように設けられて前記コアを挟んで第２屈折率を有する第１信号クラッド及び第２信号クラッド；  
前記コアの少なくとも遅い軸の端部を実質的に取り囲んで第３屈折率を有する第３クラッド；並びに、
前記第３クラッドに取り付けられた継ぎ輪であって、前記継ぎ輪の第４屈折率は前記第３クラッドの第３屈折率に本質的に等しく、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有する、
光ファイバ。
【請求項８】
光ファイバであって、
高いアスペクト比で伸張する断面を有し、かつ、第１屈折率を有するコア；
前記コアと接触するように設けられて前記コアを挟んで第２屈折率を有する第１信号クラッド及び第２信号クラッド；  
前記コアの少なくとも遅い軸の端部を実質的に取り囲んで第３屈折率を有する第３クラッド；並びに、
前記第３クラッドを覆うコーティングであって、前記コーティングは、前記第３クラッドへ漏れるレーザー放射線に対して透明となるように構成され、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有する、
光ファイバ。
【請求項９】
前記第３クラッドが、前記コアと前記第１信号クラッド及び第２信号クラッドを実質的に取り囲む、請求項１に記載の光ファイバ。
【請求項１０】
前記ファイバが、約１０ｋＷ以上の出力を有するレーザービームを伝送するように構成される、請求項１に記載の光ファイバ。
【請求項１１】
前記コアが、前記遅い軸方向に延びた実質的に長方形形状を有する、請求項１に記載の光ファイバ。
【請求項１２】
前記ファイバが、前記速い軸方向において機械的な撓みを可能にし、かつ、前記遅い軸方向において機械的な撓みに抵抗するように、前記遅い軸方向に延びた実質的に長方形の外部形状を有する、請求項１に記載の光ファイバ。
【請求項１３】
光ファイバであって、
高いアスペクト比で伸張する断面を有し、かつ、屈折率を有するコア；並びに、
前記ファイバの出力端部付近のファイバ長さにわたって生じるねじれ部分；
を有し、
前記ファイバの出力端部付近のファイバ長さは、ねじれ誘起焦点長に関連づけられる固有歪み長さよりも短く、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有する、
光ファイバ。
【請求項１４】
前記固有歪み長さＬｄｉｓｔがｗｃｏｒｅ／δθＦに比例し、
δθＦ＝（ｗｂ／２Ｆ）はねじれ誘起発散角で、ｗｃｏｒｅは前記コアの幅で、ｗｂは入力レーザービームの幅で、かつ、Ｆ＝δＬ／φ２は、ねじれ角φに係るねじれ誘起焦点長である、
請求項１３に記載の光ファイバ。
【請求項１５】
前記ファイバの入力端部から出力端部へのビームの発散は保存される、請求項１に記載の光ファイバ。
【請求項１６】
光ファイバであって、
高いアスペクト比で伸張する断面を有し、かつ、屈折率を有するコアであって、前記コアは、速い軸方向では狭く、かつ、遅い軸方向では広く、その結果、前記ファイバは、前記速い軸方向では機械的に可撓性を有し、かつ、前記遅い軸方向では機械的に剛性を有するコア；並びに、
前記速い軸方向において曲がった曲がり部分、及び、前記ファイバ全体を通じて実質的に同一のビーム品質を維持するように、前記曲がり部分とは異なるねじれ部分；
を有する、
光ファイバ。
【請求項１７】
前記光ファイバは、
前記コアと接触するように設けられて前記コアを挟んで第２屈折率を有する第１信号クラッド及び第２信号クラッド；並びに、
前記コアの少なくとも遅い軸の端部を実質的に取り囲んで第３屈折率を有する第３クラッド；
をさらに有する、請求項１６に記載の光ファイバ。
【請求項１８】
光ファイバであって、
高いアスペクト比で伸張する断面を有し、かつ、屈折率を有するコアであって、前記コアは、速い軸方向では狭く、かつ、遅い軸方向では広く、その結果、前記ファイバは、前記速い軸方向では機械的に可撓性を有し、かつ、前記遅い軸方向では機械的に剛性を有するコア；並びに、
ねじれ部分；
を有し、
前記ファイバの前記ねじれ部分が、前記ファイバ内部で光学歪みを誘起し、
前記ねじれ部分は、前記光学歪みを補償するように構成され、
その結果、前記ねじれ部分通過後には正味の光学歪みが残らない伝送ビームが得られる、
光ファイバ。
【請求項１９】
前記光学歪みが前記ファイバ内部での負のレンズで、かつ、
前記負のレンズは、前記ねじれ部分のコア内に、前記負のレンズのパワーとは反対で、かつ、実質的に等しいレンズパワーを有する正のレンズを構築することによって補償される、
請求項１８に記載の光ファイバ。
【請求項２０】
前記光学歪みが前記ファイバ内部での偏光歪みで、かつ、
前記偏光歪みは、少なくとも１つの偏光部材の手段によって補償される、
請求項１８に記載の光ファイバ。
【請求項２１】
前記正のレンズは、前記コア内の遅い軸の屈折率変化、又は、ファイバの軸に沿って中間部では前記コアを厚くして、前記コアの端部付近では狭くするように、前記遅い軸方向に沿った前記コアの厚さプロファイルの形成のうちの少なくとも１つを有する、請求項１９に記載の光ファイバ。
【請求項２２】
前記負のレンズの大きさが、前記正のレンズを打ち消すように調節され、
その結果、前記ねじれ部分の通過後には正味のビーム品質歪みが残らない伝送ビームが得られる、
請求項１９に記載の光ファイバ。
【請求項２３】
前記負のレンズが、前記ねじれ部分の長さを変化させることによって調節される、請求項２２に記載の光ファイバ。
【請求項２４】
誘導ラマン散乱の発生及び誘導ブリルアン散乱の発生が、前記ファイバの長さ、前記ファイバのコアの面積、前記ファイバ内を伝播するレーザー放射線の出力、又は媒質に依存するラマン利得のうちの少なくとも１つを選択することによって制御される、請求項１に記載の光ファイバ。
【請求項２５】
光ファイバであって、
高いアスペクト比で伸張する断面を有し、かつ、屈折率を有するコア；
を有し、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有し、
レーザー放射線の所与の出力及び所与のラマン利得では、前記コアは、誘導ラマン散乱又は誘導ブリルアン散乱のうちの少なくとも１つが約２ｍを超えるファイバ長さで起こることを防止するのに十分な大きさの面積を備えるように構成される、
光ファイバ。
【請求項２６】
レーザー；
入力端部と出力端部を有する光ファイバ；及び、
前記レーザーから前記光ファイバの入力端部を介して放射線を入力するように構成される光カプラ；
を有する光学装置であって、
前記光ファイバは、
高いアスペクト比で伸張する断面を有し、かつ、第１屈折率を有するコア；
前記コアと接触するように設けられて前記コアを挟んで第２屈折率を有する第１信号クラッド及び第２信号クラッド；並びに、
前記コアの少なくとも遅い軸の端部を実質的に取り囲んで第３屈折率を有し、前記コアの前記遅い軸の端部と接触する第３クラッド；
を有し、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有する、
光学装置。
【請求項２７】
前記ファイバ内部において前記遅い軸方向に沿った高次の横電磁モードを実質的に除去するために低次の横電磁モードの損失よりも大きな高次の横電磁モードの損失を供するように、前記コアの第１屈折率と前記第３クラッドの第３屈折率との差は約５００ｐｐｍ未満である、
請求項２６に記載の光学装置。
【請求項２８】
レーザー；
入力端部と出力端部を有する光ファイバ；及び、
前記レーザーから前記光ファイバの入力端部を介して放射線を入力するように構成される光カプラ；
を有する光学装置であって、
前記光ファイバは、高いアスペクト比で伸張する断面を有し、かつ、屈折率を有するコアを有し、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有し、
前記レーザーがファイバレーザーを有し、かつ、
前記光カプラは、屈折率分布を有する平板屈折率分布（ＧＲＩＮ）レンズを有し、
前記屈折率分布の平面は、前記ファイバの遅い軸方向に対して実質的に平行で、かつ、
前記光カプラは、前記ファイバレーザーを前記光ファイバの入力端部へ結合するように構成される、
光学装置。
【請求項２９】
前記光カプラの長さが、前記ＧＲＩＮレンズの１／４ピッチ長さと略等しくなるように選ばれる、請求項２８に記載の光学装置。
【請求項３０】
前記レーザーと前記光ファイバが、モノリシックデバイスを形成するように、前記光カプラの対向する端部に取り付けられる、請求項２６に記載の光学装置。
【請求項３１】
前記レーザーと前記光ファイバが、溶融結合を用いることによって、前記光カプラの対向する端部に取り付けられる、請求項２６に記載の光学装置。
【請求項３２】
前記光カプラが、前記光ファイバへの入力用に、前記レーザーのビームを、コリメートされた高アスペクト比の楕円ビームへ再整形するように構成される、請求項２６に記載の光学装置。
【請求項３３】
前記光カプラが、前記レーザーからの放射線を前記光ファイバへ案内するように構成される少なくとも１つの自由空間レンズを有する、請求項２６に記載の光学装置。
【請求項３４】
入力端部と出力端部を有する光ファイバ；及び、
前記光ファイバの出力端部に接続される第１端部キャップ；
を有する光学装置であって、
前記光ファイバは、
高いアスペクト比で伸張する断面を有し、かつ、第１屈折率を有するコア；
前記コアと接触するように設けられて前記コアを挟んで第２屈折率を有する第１信号クラッド及び第２信号クラッド；並びに、
前記コアの少なくとも遅い軸の端部を実質的に取り囲んで第３屈折率を有し、前記コアの前記遅い軸の端部と接触する第３クラッド；
を有し、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有する、
光学装置。
【請求項３５】
入力端部と出力端部を有する光ファイバ；及び、
前記光ファイバの出力端部に接続される端部キャップ；
を有する光学装置であって、
前記光ファイバは、高いアスペクト比で伸張する断面を有し、かつ、屈折率を有するコアを有し、
前記コアは、速い軸方向では狭く、かつ、遅い軸方向では広く、その結果、前記ファイバは、前記速い軸方向では機械的に可撓性を有し、かつ、前記遅い軸方向では機械的に剛性を有し、
前記端部キャップが射出面を有し、
前記入力端部を介して入力されるレーザービームは、前記射出面を介して、前記端部キャップを飛び出し、
前記射出面は、前記光ファイバの出力端部に係るある位置に設けられ、
前記ある位置では、前記速い軸方向でのレーザービームのサイズが前記遅い軸方向でのレーザービームのサイズと実質的に等しい、
光学装置。
【請求項３６】
前記端部キャップの射出面が、前記遅い軸方向に沿った前記レーザービームの発散を変化させることなく、前記速い軸方向に沿った前記レーザービームの発散を前記遅い軸方向に沿った前記レーザービームの発散へ減少させるように成形される、請求項３５に記載の光学装置。
【請求項３７】
前記速い軸方向に沿った前記レーザービームの発散が、前記遅い軸方向に沿った前記レーザービームの発散と実質的に等しい、請求項３６に記載の光学装置。
【請求項３８】
前記光ファイバの入力端部に接続される第２端部キャップをさらに有し、前記第２端部キャップはレーザービームを受けるように構成される、請求項３４に記載の光学装置。
【請求項３９】
高いアスペクト比で伸張する断面を有し、かつ、第１屈折率を有するコア；
前記コアと接触するように設けられて前記コアを挟んで第２屈折率を有する第１信号クラッド及び第２信号クラッド；並びに、
前記コアの少なくとも遅い軸の端部を実質的に取り囲んで第３屈折率を有し、前記コアの前記遅い軸の端部と接触する第３クラッド；
を含むファイバへレーザービームを放出する段階であって、前記コアは、速い軸方向では狭く、かつ、遅い軸方向では広く、その結果、前記ファイバは、前記速い軸方向では機械的に可撓性を有し、かつ、前記遅い軸方向では機械的に剛性を有し、前記レーザービームは、前記遅い軸方向に沿って前記コアの幅よりも狭い幅を有する、段階；及び、
誘導ラマン散乱又は誘導ブリルアン散乱のうちの少なくとも１つ発生を回避しながら、前記ファイバを介して前記レーザービームを伝播させる段階、
を有する高出力レーザービームのファイバ供給方法。
【請求項４０】
前記ファイバを該ファイバの少なくとも一部に沿って曲げ又はねじりのうちの少なくとも１つを行うことによって、前記レーザービームを所望の位置へ供給する段階をさらに有する、請求項３９に記載の方法。
【請求項４１】
前記ファイバの曲げ又はねじりのうちの少なくとも１つは、前記ファイバ全体にわたって実質的に同一のビーム品質を維持するように、前記ファイバの第１部分を曲げ、かつ、前記第１部分とは異なる前記ファイバの第２部分をねじることを含む、請求項４０に記載の方法。
【請求項４２】
前記ファイバの前記第２部分をねじることによって誘起される前記ファイバの前記第２部分内での光学歪みを補償する段階であって、その結果、前記ねじれ部分の通過後正味の光学歪みが残らない伝送ビームを得る段階を有する、請求項４１に記載の方法。
【請求項４３】
前記光学歪みを補償する段階が、前記ファイバ内での負のレンズを、前記負のレンズのレンズパワーとは反対でかつ実質的に等しいレンズパワーを有する正のレンズを前記ねじれ部分のコアに構築することによって補償する段階をさらに有する、請求項４２に記載の方法。
【請求項４４】
前記の負のレンズの大きさを調節することで前記正のレンズを打ち消す段階であって、その結果、前記のねじれた第２部分の通過後本質的に正味のビーム品質歪みが残らない伝送ビームを得る段階をさらに有する、請求項４３に記載の方法。
【請求項４５】
前記の負のレンズを調節する段階は、前記のねじれた第２部分の長さを変化させる段階を有する、請求項４４に記載の方法。
【請求項４６】
高いアスペクト比で伸張する断面を有し、かつ、第１屈折率を有するコア；
前記コアと接触するように設けられて前記コアを挟んで第２屈折率を有する第１信号クラッド及び第２信号クラッド；並びに、
前記コアの少なくとも遅い軸の端部を実質的に取り囲んで第３屈折率を有し、前記コアの前記遅い軸の端部と接触する第３クラッド；
を含むファイバへレーザービームを放出する段階であって、前記コアは、速い軸方向では狭く、かつ、遅い軸方向では広く、その結果、前記ファイバは、前記速い軸方向では機械的に可撓性を有し、かつ、前記遅い軸方向では機械的に剛性を有し、前記レーザービームは、前記遅い軸方向に沿って前記コアの幅よりも狭い幅を有する、段階；及び、
前記ファイバを介して前記レーザービームを伝播させることで、誘導ラマン散乱又は誘導ブリルアン散乱のうちの少なくとも１つの発生を緩和しながら、低次横電磁モードの損失よりも大きな任意の高次横電磁モードの損失を供することで、前記ファイバ内で前記遅い軸方向に沿って前記高次横電磁モードを実質的に除去する段階、
を有する高出力レーザービームのファイバ供給方法。
【請求項４７】
前記ファイバを該ファイバの少なくとも一部に沿って曲げ又はねじりのうちの少なくとも１つを行うことによって、レーザービームを所望の位置へ供給する段階をさらに有する、請求項４６に記載の方法。
【請求項４８】
前記ファイバの曲げ又はねじりのうちの少なくとも１つは、前記ファイバ全体にわたって実質的に同一のビーム品質を維持するように、前記ファイバの第１部分を曲げ、かつ、前記第１部分とは異なる前記ファイバの第２部分をねじることを含む、請求項４７に記載の方法。
【請求項４９】
前記ファイバの前記第２部分をねじることによって誘起される前記ファイバの前記第２部分内での光学歪みを補償する段階であって、その結果、前記ねじれ部分の通過後正味の光学歪みが残らない伝送ビームを得る段階をさらに有する、請求項４８に記載の方法。
【請求項５０】
前記光学歪みを補償する段階が、前記ファイバ内での負のレンズを、前記負のレンズのレンズパワーとは反対でかつ実質的に等しいレンズパワーを有する正のレンズを前記ねじれ部分のコアに構築することによって補償する段階を有する、請求項４９に記載の方法。
【請求項５１】
前記の負のねじれ誘起レンズの大きさを調節することで前記正のレンズを打ち消す段階であって、その結果、前記のねじれた第２部分の通過後本質的に正味のビーム品質歪みが残らない伝送ビームを得る段階をさらに有する、請求項５０に記載の方法。
【請求項５２】
前記の負のレンズを調節する段階は、前記のねじれた第２部分の長さを変化させる段階を有する、請求項５１に記載の方法。